(57)【要約】  印刷機の印刷速度の効率的な管理のため、複数の用紙を印刷する印刷機の印刷速度のプロファイルを用意する方法であって、複数の用紙の印刷を規定する印刷ジョブが受理され、各用紙の印刷速度に関して解析される方法が提供される。その後、印刷ジョブの用紙を印刷する前に、各用紙について印刷速度のプロファイルが、印刷速度と印刷機の異なる印刷速度の間の変更回数とに基づき用意される。また、印刷ジョブ内の最も低速な印刷速度による用紙の印刷速度を決定し、その後に印刷ジョブの用紙の印刷前に、印刷ジョブ内の最も低速な印刷速度に対応する一定の印刷速度に印刷ジョブ全体の印刷速度のプロファイルを調整することが可能である。
2012502818.tif 000002
【特許請求の範囲】
【請求項１】
複数の用紙を印刷するための印刷機の印刷速度のプロファイルを用意する方法であって、
複数の用紙の印刷を規定する印刷ジョブを受理するステップと、
各用紙の印刷速度に関して前記印刷ジョブを解析するステップと、
前記印刷ジョブの用紙を印刷する前に、各用紙の印刷速度と前記印刷機の異なる印刷速度の間の変更回数との関数としての前記印刷速度のプロファイルを用意するステップと、
を有し、
前記解析するステップは、各用紙の印刷速度を前記用紙の物質特性に基づき決定することからなる方法。
【請求項２】
前記プロファイル内の速度変更は、閉じた用紙グループの後にのみ許容される、請求項１記載の方法。
【請求項３】
計算される節約時間が閾値と超える場合に限って印刷ジョブ内の前記プロファイルにおける速度変更は実行され、前記閾値を超えない場合、前記印刷ジョブ全体の印刷速度のプロファイルは、前記印刷ジョブ内の最も低い印刷速度に対応する一定の印刷速度に調整される、請求項１又は２記載の方法。
【請求項４】
前記閾値は、所定の固定的な時間値である、請求項３記載の方法。
【請求項５】
前記閾値は、最も低速な用紙に調整される一定の印刷速度による前記印刷ジョブ全体の印刷時間のパーセンテージである、請求項３記載の方法。
【請求項６】
前記パーセンテージは、１０％〜２０％である、請求項５記載の方法。
【請求項７】
複数の用紙を印刷するための印刷機の印刷速度のプロファイルを用意する方法であって、
複数の用紙の印刷を規定する印刷ジョブを受理するステップと、
各用紙の印刷速度に関して前記印刷ジョブを解析するステップと、
前記印刷ジョブ内の最も低速な印刷速度による用紙の印刷速度を決定するステップと、
前記印刷ジョブの用紙を印刷する前に、前記印刷ジョブ内で最も低速な印刷速度に対応する一定の印刷速度により前記印刷ジョブ全体の印刷速度のプロファイルを用意するステップと、
を有し、
前記解析するステップは、各用紙の印刷速度を前記用紙の物質特性に基づき決定することからなる方法。
【請求項８】
前記解析するステップは、前記印刷ジョブにおいて規定される用紙の速度パラメータを抽出することを含む、請求項１乃至７何れか一項記載の方法。
【請求項９】
前記解析するステップは、各用紙の印刷速度を前記用紙に印刷される画像に基づき決定することを含む、請求項１乃至８何れか一項記載の方法。
【請求項１０】
前記解析するステップは、各用紙の印刷速度を定着部の要求に基づき決定することを含む、請求項１乃至９何れか一項記載の方法。
【請求項１１】
前記印刷機は、複数のプリンタを備えるマルチカラー印刷機である、請求項１乃至１０何れか一項記載の方法。
【請求項１２】
前記マルチカラー印刷機は、両面パスを有する、請求項１１記載の方法。
【発明の詳細な説明】
【技術分野】
【０００１】
本発明は、印刷機の印刷速度のプロファイルを用意する方法に関する。特に、印刷速度のプロファイルの決定及び調整は、印刷対象の被印刷物、使用するインクの出力デバイス及び／又は生成される印刷画像によって充足されるべき特別な要求の性質に基づく。
【背景技術】
【０００２】
通常、印刷ジョブは複数の用紙に連続的に印刷される文書に関する各種情報を含む。このような印刷ジョブは、通常はプリンタに送信され、当該プリンタにより受理され、ページ単位で処理される。これについて、プリンタの印刷速度を瞬間的に印刷されるページの要求に適応させることが知られている。この手順は、ページ毎の速度の変化が問題を生じさせないときは意味があり、これは通常は家庭又はオフィスでの利用のケースである。印刷速度は、印刷対象のページの各要求に調整され、印刷要求から生じるものである。
【０００３】
この状況は、大規模な印刷機、特にマルチカラー印刷機では異なってくる。このタイプの印刷機では、ほとんど瞬間的な速度の変更は容易には可能でない。家庭用又はオフィス用の用途と対照的に、ページ毎の印刷速度の変更は通常は技術的に便利なものでない。
【０００４】
このための理由は、例えば、家庭用のプリンタとは対照的に、搬送ローラや画像形成シリンダなどの稼働中の質量が大きいためである。これら稼働中の質量の慣性モーメントは、印刷速度の瞬間的な変更を困難にし、常に実践的なものするとは限らない。印刷速度の変更は、例えば、搬送ローラのより多くの又はより少ない回転数と関連し、このため上述した慣性モーメントが克服される必要がある。特に搬送ローラの加速度が、エネルギー及び／又は時間の高利用を伴う。さらに、印刷ジョブは通常は、バッチ毎に８ページのグループなど、いわゆるバッチというグループに分割される。グループのサイズは、印刷対象となるページ又は用紙のフォーマットや印刷機における印刷パスの長さなどの複数の要因に依存する。
【０００５】
ここでバッチが異なる印刷速度により印刷可能なページを含む場合、バッチ内で印刷速度を変更することは望ましくない。これは、印刷ジョブ全体の実行中と特にバッチ内においてレジストレーション問題を生じさせる可能性があるためである。
【０００６】
印刷ジョブ内で異なる要求印刷速度に関する問題を回避するため、低速の印刷速度を要する特定の印刷部材は特定の印刷機についてクリアされないことが知られている。他のアプローチは、潜在的なレジストレーション問題に関する問題を単に無視し、用紙単位での速度変更を実行する。解決のためのさらなる他のアプローチでは、印刷機の印刷速度は一般に、すべての許容される用紙と印刷状況とが１つの印刷速度により処理可能となるよう減速される。
【０００７】
しかしながら、解決のための第１のアプローチは、特定の媒体が印刷速度のためにクリアされないため、印刷機のフレキシビリティを制限する。第２のアプローチは、印刷機の過剰な装備と印刷結果の品質低下とをもたらしうる。最後のアプローチは、潜在的に達成可能な印刷速度に関して減速されたため、印刷機の非効率的な利用を生じさせる可能性がある。
【０００８】
ＤＥ１０２５０１９４Ａ１は、名目的な時点が各用紙の印刷を制御するために設定及びモニタされることによって、電子写真プリンタ又はコピー機を制御するための装置及び方法に関する。さらに、最も大きな可能なスループットを確保するための２つの動作モード間での切替方法及び装置が開示されている。
【０００９】
ＥＰ１３３９２１８Ａ２は、カラー印刷又はモノクロ印刷としてページが印刷されるべきかチェックするカラー及びモノクロ印刷処理を有するプリンタ及び方法を開示する。印刷対象の各ページの印刷処理は、以降のページの有無と印刷されるページ数とに関して決定される。
【発明の概要】
【００１０】
従って、本発明の課題は、印刷機、特に電子写真マルチカラー印刷機における印刷速度の効率的な管理を提供することである。
【００１１】
本発明によると、この課題は、請求項１及び７による方法によって実現される。本発明のさらなる改良は従属クレームから明らかになる。
【００１２】
本発明による方法では、特に印刷ジョブがまず受理され、当該印刷ジョブは複数の用紙又はページの印刷を規定する。印刷ジョブは、異なる印刷速度により印刷される各用紙から構成されてもよい。例えば、単位面積及び／又はコーティング毎に異なる重さを表示する紙の用紙は異なる最大印刷速度により印刷可能であることが知られている。概して、フィルムはまた異なる最大印刷速度を許容する。しかしながら、用紙上の高光沢クリアトナーなどの特定のトナーの使用は、当該用紙に対してより低速な印刷速度を要求する可能性がある。もちろん、他のパラメータが用紙の最大印刷速度を制限することも可能である。
【００１３】
本方法のさらなるステップ中、印刷速度の制限が印刷ジョブの各用紙に対して解析される。このように解析された印刷ジョブによって、印刷ジョブ全体の印刷速度のプロファイルが、印刷ジョブの用紙の印刷前に、すなわち、各用紙の印刷速度と印刷機の各種印刷速度の間の変更回数とに基づき用意される。
【００１４】
印刷機における印刷速度を変更するための上述された制限に基づき、異なる速度により印刷される印刷物質（ｐｒｉｎｔｉｎｇ  ｍａｔｅｒｉａｌ）の有無だけでなく、印刷所部内のそれらの分布もまた、プロファイルが最終的にどのように見えるか、又は印刷速度の変更が有用か否かに関してさらに決定可能であることは明らかである。特定の状況の下では、最も低速な速度による用紙に対応する速度に印刷速度を一定に維持することが実用である可能性がある。これは、印刷速度の変更が常に時間要素を含む、すなわち、印刷速度は瞬間的にはスイッチ不可であるためである。この結果、印刷ジョブの構成に応じて、変更は適切でない可能性がある。明らかな例として、印刷ジョブ内の１つのページのみが高速の印刷速度を許容する印刷ジョブがあげられ、速度の加速又は減速は１枚の用紙に対する高速な速度により節約されるよりもかなり長い時間を要する。印刷所部内の印刷速度の変更が実用で的あるとは考えられない場合、印刷ジョブ全体の印刷速度は、最も低速な速度の用紙に対応する一定値に調整される。
【００１５】
本発明の他の実施例の課題は、印刷所部内の印刷速度を全体的に一定に維持することである。これを実現するため、複数の用紙を印刷する印刷機の印刷速度のプロファイルを用意する方法であって、複数の用紙の印刷を規定する印刷ジョブを受理するステップと、その後に各用紙の印刷速度に関して印刷ジョブを解析するステップと、印刷ジョブ内の最も低速な印刷速度による用紙の印刷速度を決定するステップと、最後に印刷ジョブの用紙が印刷される前に、印刷ジョブ内の最も低速な印刷速度に対応する一定の印刷速度に印刷ジョブ全体の印刷速度のプロファイルを調整するステップとを有する方法が提供される。本方法は、極めて容易に実現可能であり、印刷ジョブ全体の印刷について一定の速度が利用されるため、印刷ジョブの処理に関して印刷機に対する特別な要求をしない点で効果を有している。印刷ジョブを解析するとき、印刷対象の用紙の重さ、形状、物質、剛性、コーティングなどの各種パラメータを考慮することが可能である。また、モノクロ印刷、カラー印刷、印刷機の定着部において生成される写真の所望の光沢、カスタムインクの追加などの印刷ジョブの他のパラメータを考慮することが可能である。
【００１６】
潜在的な時間の節約を計算するため、印刷ジョブの可能な最速の処理の時間がまず求められる。この値は、印刷するのに最も低速な用紙の印刷速度により扱われる印刷ジョブを処理する時間と比較される。これら２つの時間の差分は、理論的な可能な時間の節約を表す。時間の節約のためローラの慣性やパス長などの印刷機のパラメータの関数である閾値を導入することによって、印刷速度の変更が実用的であると考えられる節約時間値を規定することができる。この閾値は、固定的な所定の時間値であってもよく、使用される印刷機に応じて同一の印刷ジョブに対して異なる値を想定してもよい。
【００１７】
これは、閾値の調整が簡単な方法により実現可能であり、このためコスト効果的な手段を示すという効果を有する。
【００１８】
他の実施例では、閾値は、最も低速な用紙の印刷速度に調整される一定の速度により印刷ジョブ全体の印刷時間のパーセンテージであってもよい。このパーセンテージは、例えば、１０％〜２０％であってもよい。
【００１９】
このような閾値の調整は、印刷ジョブの特別な状況に印刷ジョブの処理を動的に適応させるという効果を有する。
【００２０】
一実施例では、解析するステップは、印刷ジョブ内で規定され、用紙特性に基づき各用紙に割り当てられた速度パラメータを抽出することを含む。この速度パラメータの抽出は、印刷ジョブが本方法において当該パラメータの利用により迅速かつ簡単に解析可能であるという効果を有する。
【００２１】
本方法の他の実施例によると、解析するステップは、各用紙の印刷速度を、用紙に印刷される画像及び／又は用紙の物質特性に基づき決定することを含む。同様に、本方法は、定着部の要求に基づき印刷速度を解析及び決定することを含み、例えば、印刷が特別な光沢要求を満たすときなどのケースである。
【００２２】
上述したパラメータの利用による印刷速度の決定は、本方法が印刷機における実際の要求に容易に適用可能であるという効果を有する。
【００２３】
好ましくは、印刷機は、複数のプリンタを有するマルチカラー印刷機であり、また他の実施例では両面パスを有するマルチカラー印刷機である。
【００２４】
本発明が、図示される実施例に限定されることなく異なる実施例を用いて詳細に説明される。
【図面の簡単な説明】
【００２５】
【図１】図１は、印刷機の概略的な側面図である。
【図２】図２は、本発明による方法のフローチャートである。
【図３】図３は、本発明による他の方法のフローチャートである。
【発明を実施するための形態】
【００２６】
図１は、本発明による方法が実行可能であって、用紙を印刷するため設計された一例となる電子写真式の印刷機１の概略的な側面図を示す。図示された印刷機１は、マルチカラー印刷用の印刷機である。図を簡単化するため、印刷機１の内部の図示を妨げる側面のハウジング部は取り除かれている。
【００２７】
図１による印刷機１は、ハウジング４と、ハウジング４の内部に収容されている用紙カセット１０と、外部の用紙カセット７０とを有する。
【００２８】
印刷機は、電子写真式の印刷部１６を有する。印刷部１６は、用紙に直接印刷するように配置される。このため、印刷部は、複数のローラ３４の周囲にガイドされる搬送ベルト３２を有する第１搬送部３０の上部に直接設けられる。ローラ３５は、印刷部１６に対向して設けられ、用紙へのトナーの直接的な塗布を可能にするため、印刷部１６の対応する転写要素に対して搬送部３０により搬送される用紙を押圧する。この結果、画像転写ステーションは、印刷部１６とこれらに対向して配置されるローラとの間に形成される。
【００２９】
図１による第１搬送部３０は、第１印刷部１６に届く前に用紙が搬送ベルト３２により縦方向に完全にサポート可能となるような長さを有する。同様に、最後の印刷部１６を通過した後に用紙が搬送ベルト３２により縦方向に完全にサポートされるべきである。図１による実施例では、合計で５つの印刷部が設けられる。また、印刷部間の距離は、用紙がある時点において１つの画像転写ステーションにしかないように選択される。従って、少なくとも６枚の用紙が同時に搬送ベルト上にある可能性がある。１枚の用紙が位置揃え部と定着部とに加えられる場合、結果として、同時に実行される１つの印刷内には８枚の用紙のグループサイズとなる。もちろん、グループサイズはまた、より小さなフォーマットが使用されるときにはより大きなものであってもよい。
【００３０】
用紙の搬送状況に関して、印刷機は、第１搬送部の下流に定着ステーション３６とスイッチ３８とを有する。さらに、対応する搬送部４０，４２，４８，５２，５６が、用紙回転部５０と共に搬送部４８と５２との間に設けられる。スイッチ４４は搬送部４２の領域に統合される。
【００３１】
さらに、図１による印刷機１は、予備的な位置揃え部５８と共に他の位置揃え部６０を有する。
【００３２】
図１を参照して、印刷機の動作が以降においてより詳細に説明される。印刷処理が開始されると、印刷対象の用紙が、破線により示される用紙カセット１０又は外部の用紙カセット７０から破線により示される用紙搬送パスに供給される。特に、印刷対象の用紙は用紙カセット１０から垂直方向に延びる搬送部５６に搬送される。搬送部はまず、用紙を下端において水平方向に曲げ、予備的な位置揃え部５８に搬送するため、用紙を垂直方向に搬送する。この予備的な位置揃え部において、用紙は予め揃えられ、その後にさらなる位置揃えが行われる位置揃え部６０に転送される。
【００３３】
位置揃え部６０における用紙の細かい位置揃えの後、用紙は第１搬送部３０に転送される。図１による実施例では、その後に各印刷部１６は、各カラー分離画像を用紙に直接転写する。この処理中、第１搬送部は当該トナー転写中は実質的に一様な速度により動作し、当該速度は後述される本発明の方法に従って決定される。各印刷部は、対応するトナー分離画像が正確な時点で印刷対象の用紙に転写されるように制御される。これはまた、画像・フォロー・紙（ｉｍａｇｅ−ｆｏｌｌｏｗｓ−ｐａｐｅｒ）処理として知られてきた。
【００３４】
定着ステーション３６では、用紙に転写されたトナー画像が熱と圧力の印加によって定着される。この定着処理中、用紙は定着ステーション３６に一体の搬送部により搬送される。熱と圧力の印加による定着後、用紙は定着ステーション３６の冷却部において冷却される。定着ステーション３６の終わりにおいて、このように印刷された用紙がスイッチ３８によって、搬送部４０又は４２に誘導される。用紙が搬送部４０に誘導される場合、用紙はその後に出力トレイ１２に搬送され、当該用紙に対する印刷処理は終了する。用紙がスイッチ３８により搬送部４２に誘導される場合、搬送部は垂直方向に上向きに用紙を搬送する。搬送部の上端において、スイッチ４４は用紙をトレイ１４又は搬送部４８の何れかの方向に誘導する。通常、印刷品質が既存の印刷ジョブ中の印刷ジョブからの対応する用紙を利用することによってチェックされる場合、用紙はトレイ１４に誘導される。
【００３５】
用紙が搬送部４８に誘導される場合、後述されるように、用紙は通常は両面印刷用である。搬送部４８は、用紙を用紙回転部５０に搬送し、縦軸に関して用紙が回転される。用紙回転部５０の終わりにおいて、用紙は、垂直方向に延びる搬送部５６に用紙を搬送し続ける搬送部５２に転送される。搬送部５６によって、用紙はその後に再び、画像転写ステーションにおける更新されたトナー塗布のためにひっくり返された用紙を準備するため、予備的な位置揃え部に搬送される。その後、画像転写処理は上述したものと同じであり、用紙の背面側が対応するトナー画像に提供される。これは再び対応する用紙の定着及び冷却に続き、その後に用紙は用紙カセット１２又はトレイ１４に出力される。
【００３６】
定着部が熱と圧力の印加による機能部として上述されたが、定着部はまた、例えば、熱の印加のみが利用される非接触な定着を提供するようにしてもよい。
【００３７】
図２は、印刷機の印刷速度のプロファイルを用意するための本発明の方法のフローチャートを概略的に示す。後述される印刷機の印刷速度のプロファイルを用意する方法は、図２を参照してより詳細に説明される。
【００３８】
まずブロック１０２において、印刷ジョブが受理される。この印刷ジョブは、複数の用紙に連続的に印刷される文書に関する情報を含む。通常、この印刷ジョブは、印刷機のプリンタドライバ又はフロントエンドによって受理される。通常、印刷ジョブは、印刷される用紙の枚数及びタイプ、使用されているフォーマット、印刷対象の文書の用紙に対する光沢設定に関するインク及びデータの利用などに関する情報を含む。
【００３９】
ブロック１０４において、本方法の次のステップ中、印刷ジョブは各用紙の印刷速度に関して解析される。この解析の結果は、印刷される印刷ジョブのすべての用紙の速度分布を生成する。このため、最大印刷速度が印刷ジョブ内の各用紙に対して決定される。これは、例えば、各用紙に割り当てられた速度パラメータ、用紙の物質特性、印刷機の性質及び／又は印刷対象の画像のタイプなどに基づき実現される。
【００４０】
さらに、印刷対象の用紙の枚数に関する印刷ジョブにおける情報を利用することによって、バッチへの分割が実行される。速度の変更は、例えば、バッチ内のすべての用紙の速度が、バッチ内の用紙に対する最低値に対応する同一の値に設定されるように、バッチ内では許容されない。バッチは、例えば、印刷機の印刷パスが完全にロードされるように用紙の枚数などを規定する。所与のパス長によって、バッチの用紙の枚数は印刷対象の用紙のフォーマットに依存する。印刷速度がバッチ内で変更されるべきでないため、バッチへの予備的な分割は便利である。この分割は、用紙に対して決定された最大印刷速度より高い印刷速度により印刷される用紙はないということに基づき実行される。これに対して、より低速な印刷は問題なく許容される。
【００４１】
ブロック１０６において、以降のステップ中、印刷ジョブ全体に対して理論的な印刷時間が計算される。一方では、この計算は印刷ジョブ内の印刷速度の１以上の変更が許容されることに基づく印刷時間の計算からなり、他方では、すべての用紙が最低の最大印刷速度により用紙に対応する変更されない印刷速度により印刷されるということに基づく印刷時間の計算からなる。
【００４２】
第１の計算は、異なる速度の間の変更について求められる変更回数を含む。当該速度は、関係するドライブを加速／減速するための実際の時間と共に、必要に応じて前のバッチが印刷パスを完全に離れたときにのみ印刷パスに導入されるべき用紙のバッチの待機時間を含む。両面印刷について、バッチが表面印刷と裏面印刷とを完全に通過した場合、それは好ましい。例えば、これらの変更回数は、各用紙の印刷速度の特定の分布によって、印刷速度の変更が一定の低い速度により印刷と比較して時間優位性を実現することができないという効果を有しうる。例えば、速度変更と待機時間により生じる用紙の取り扱いにおけるエラー頻度の統計的な上昇など、当該計算にさらなるパラメータを含めることが可能である。
【００４３】
この結果、このステップでは、各プロファイルの印刷時間の全体の値は、印刷ジョブの印刷速度の少なくとも２つの予備的なプロファイルに対して決定される。次のステップにおいて説明される検証は、これらのプロファイルの何れが最終的に使用されるかに関して確定的である。
【００４４】
ブロック１０８において、各プロファイルの印刷時間の全体の値は、一定の低速な印刷速度のプロファイルと比較して理論的に可能な時間の節約を計算するのに利用される。
【００４５】
また、本方法は、閾値を設定することを提供する。例えば、この閾値は、一定の低速な印刷速度のプロファイルの印刷時間のパーセンテージの時間値とすることが可能である。あるいは、印刷ジョブの用紙の枚数に依存する他の閾値又は固定的な時間値を予め指定することも可能である。
【００４６】
ブロック１１０において、理論的に可能な節約される時間が閾値と比較される。節約された時間が閾値より大きい場合、すなわち、所望のパーセンテージなどより大きい場合、速度の変更は印刷ジョブの印刷速度のプロファイルに含まれ、対応するプロファイルがブロック１１４において用意される。
【００４７】
しかしながら、節約される時間が閾値より小さい場合、ブロック１１２において、速度変更はプロファイルに含まれず、その代わりにプロファイルの印刷速度は、最低の印刷速度による用紙に対応する一定値に設定される。
【００４８】
以降において、以前に設定された速度プロファイルに対応して、ブロック１１６において印刷ジョブの印刷が開始され、ブロック１１８において当該処理が終了する。
【００４９】
当該処理のフローから明らかなように、印刷ジョブ全体がまず解析され、その後に印刷ジョブ全体の印刷速度のプロファイルが、印刷ジョブの印刷開始前に調整される。
【００５０】
図３は、印刷機の印刷速度のプロファイルを用意するための他の方法の概略的なフローチャートである。
【００５１】
図２によるブロック１０２に対応するブロック２０２において、再び印刷ジョブが受理される。
【００５２】
ブロック２０４において、これはブロック１０４と同様であり、印刷ジョブが解析される。本方法でもまた、この方法ステップの目的は印刷ジョブ全体の印刷速度の理論的なプロファイルの準備である。再び、このプロファイルは印刷ジョブ内の各用紙の個別の最大印刷速度から構成される。この解析は、上述されるものと同じ基本的アイデアを利用する。
【００５３】
他の方法のブロック２０６において、最も低い最大印刷速度の用紙が決定される。その後、ブロック２０８における印刷ジョブ全体の印刷速度のプロファイルについて所定の値が調整される。すなわち、一定の印刷速度が印刷ジョブ全体に対して設定される。印刷プロファイルの当該調整はまた、印刷ジョブの印刷開始前に上述された方法と同様にして実行される。ブロック２１０において、印刷ジョブがその後に開始される。
【００５４】
概略すると、本発明は一方では予め、すなわち、印刷ジョブの開始前に、印刷ジョブ内の印刷速度の変更が実用的でであるか決定することを可能にするパラメータを解析し、変更に関する決定をするのに当該パラメータを考慮することに基づくと言える。他の実施例では、大部分の印刷ジョブにおいて、印刷ジョブ内の速度変更は全体的に実用的でなく、このためこの場合には、印刷ジョブ全体が一定の低速な速度に調整されるように、考慮されるのは時間の観点だけでないことが仮定される。
【００５５】
特に第１のアプローチは、印刷ジョブを処理するための指標を決定することに基づく。これを実現するため、メトリックが導入され、これにより当該メトリックが比較可能な決定をするのに利用される。本方法では、このメトリックは、異なる速度プロファイルによる特定の印刷ジョブの時間がまず決定されることからなる。さらに、同一の印刷ジョブ内で印刷速度を変更することによってどの程度の時間が節約可能であるか決定される。当該時点において、コスト優先の解析が実行されてもよい。これは印刷速度の変更は概してコストを要することを意味するためである。これに関連して、例えば、コストはより大きなエネルギー支出、レジストレーションエラーのリスク、印刷速度の変更によって生じる用紙の取り扱いにおけるエラーのリスク、“頻繁”な速度変更により生じる潜在的に高価なメンテナンス支出などを意味する。しかしながら、効果の側では、印刷ジョブによる時間の節約と、所定時間内により多くの印刷ジョブを受理可能となる可能性がある。これは、ハイボリューム期間中は特に重要であるが、ジョブのボリュームが少ないときはそれほど重要でなく、より簡単な方法が選択されてもよい。
【００５６】
本発明が特定の実施例に限定されることなく実施例を参照して詳細に説明された。特に、本発明の方法が実行される印刷機は図示された印刷機と異なるものであってもよい。
【図１】
2012502818.tif 000003
【図２】
2012502818.tif 000004
【図３】
2012502818.tif 000005
【国際調査報告】
2012502818.tif 000006
2012502818.tif 000007